(57)【特許請求の範囲】
【請求項１】
雌ホック（Ｆ）と雄ホック（Ｍ）とからなるホック具であって、  前記雌ホック（Ｆ）は、中空ハウジング（５）と、この中空ハウジングの係合表面に形成された長孔（３１）と、この中空ハウジング内に設定されるバネ（７）からなり、  前記バネ（７）は、円弧部分（７１）及びこの円弧部分の両端から延びる２本の直線部分（７２）を有し、前記円弧部分と前記直線部分の接点において内側に伸長するくびれ部（７３）が形成されており、  前記バネ（７）は、前記長孔（３１）に対して、前記円弧部分（７１）において固着されており、  前記長孔（３１）と前記バネ（７）の重なりにより、係合側から見ると、前記長孔（３１）は直径に大小のあるだるま孔（３１ａ，３１ｂ）となっており、 前記雌雄ホック（Ｆ、Ｍ）の係合時に、前記雄ホック（Ｍ）が前記だるま孔の大径孔（３１ａ）と小径孔（３１ｂ）の間で移動するにあたり、前記くびれ部（７３）が抵抗を与えること  を特徴とするホック具。
【請求項２】
前記長孔（３１）と前記バネ（７）が重なったとき、係合側から見ると、前記長孔（３１）から、前記バネの前記くびれ部（７３）と、前記２本の直線部分（７２）だけが露出している請求項１記載のホック具。
【請求項３】
前記雌ホック（Ｆ）及び前記雄ホック（Ｍ）の双方とも、生地の裏側から打ち込まれる支持材（６，９）によって生地（１，２）に固定されている請求項１又は２記載のホック具。
【請求項４】
前記雌ホック（Ｆ）の前記中空ハウジング（５）の生地側に回転防止手段（４２）を設けた請求項１ないし３のいずれかに記載のホック具。
【請求項５】
前記バネの円弧部分（７１）は、前記長孔（３１）の縁部を起立させた爪部（３２）を倒伏させることによって前記長孔（３１）に固着され、前記バネの２本の直線部分（７２）は、自由端となっている請求項１ないし４のいずれかに記載のホック具。
【発明の詳細な説明】
【技術分野】
【０００１】
本発明は、ズボン・スカートなどの被服、カバン・袋物類等の開閉部分を閉鎖するための止め具として使用可能なホック具に関する。
【背景技術】
【０００２】
ズボンやスカートの腰部の開閉部分を構成する分離した生地の両端には雌雄一対のホック具（例えば、ホック・アンド・バーやスナップボタン）が取り付けられているのが普通である。
【０００３】
この種のホック具を使用した被服には、着用者の腹圧のためにホック具の左右方向に強いが、逆方向には弱く外れやすいという欠点がある。
【０００４】
この欠点を解消するため、下記特許文献１では、雌ホックをだるま孔形状にしている。これによると、雄ホックをだるま孔の大径部に挿入し、ついで小径部に移動させることで、抜け止めされる。
【０００５】
雌ホックには両脚部を略「く」字状に対向内方に折曲した略Ｕ字状の線細工バネが内蔵され雄ホックをだるま孔の小径部に移動する際にはだるま孔の連接位置において前記バネの最小隙間部分を弾性拡開させつつ移動し、かつ雄ホックが小径部側に到達した段階では前記バネの最小隙間部分は弾性復帰し、雄ホックの大軽部側への戻りが防止されるため、ホック同士を完全にはめ合い状態に保持することになる。
【０００６】
ホックをはずす際には、バネのバネ圧に抗して雄部を大径部側に移動させることで、簡単に取りはずすことができる、とされている。
【特許文献１】実開昭５３−１４０３号公報
【発明の開示】
【発明が解決しようとする課題】
【０００７】
特許文献１におけるホック雌部の構造は、だるま孔が形成されたプレートと、もう一つのプレートをカシメ加工などのプレス成形により内部中空形状の扇平箱形に成形するとともに、その内側に予め前記バネを内蔵させておき、かつ前記バネの両側を内部壁面に沿って支持することで、弾性を付与している。
【０００８】
従って、その構造は複雑であり、組立工数も多くかかり、飛出そうとするバネ圧に抗してバネを内側に保持しつつ、成形を行うなど、安全性を確保するために、製造上も一般的なホック具に比べて極めて面倒であった。
【０００９】
また、だるま孔の大径孔からバネが露出しているため、雄ホックを挿入するとき、バネを押し開くために強い力が必要となる。
【００１０】
その他、バネが変形し易いこと、雌ホックを糸付けすること、など信頼性の点でも問題があった。
【００１１】
本発明は、上記の課題を解決するものであり、その目的とするところは、製作が容易で、信頼牲が高く、衣服やカバン類の開閉部の係止用として、操作が容易で、係止時の確実性の高いホック具を提供することである。
【課題を解決するための手段】
【００１２】
本発明は、雄ホックと雌ホックからなるホック具であって、前記雌ホックは、中空ハウジングと、この中空ハウジングの係合表面に形成された長孔と、この中空ハウジング内に設定されるバネからなり、前記バネは、円弧部分及びこの円弧部分の両端から延びる２本の直線部分からなり、前記円弧部分と前記直線部分の接点において内側に伸長するくびれ部が形成されており、前記バネは、前記長孔に対して、前記円弧部分において固着されており、前記長孔と前記バネの重なりにより、係合側から見ると、直径に大小のある長孔（だるま孔）が形成されていることを特徴とする（第１項）。
【発明の効果】
【００１３】
本発明によれば、雌ホックはだるま孔を有するため、雄ホックをだるま孔の大径部に挿入し、ついでくびれ部を経由して小径部に移動させることで、しっかりと抜け止めされる。そのため、雄ホックが嵌めやすく、嵌った後では外れにくいという効果が得られる。
【発明を実施するための最良の形態】
【００１４】
好ましくは、前記長孔と前記バネの重なったとき、係合側から見ると、前記長孔から、前記バネの前記くびれ部と、前記２本の直線部分だけが露出するものとする（第２項）。この構成により、雌雄ホック具の最初の係合にバネの抵抗が少なくなり、係合がスムーズなものとなる。
【００１５】
好ましくは、前記雌ホック及び前記雄ホックの双方とも、生地の裏側から打ち込まれる支持材によって生地に固定される（第３項）。この構成により、雌雄ホツク具を糸付けしなくても済むようになり、作業性が向上すると共に、ホック具の動作が安定したものとなる。
【００１６】
別な構成では、前記雌ホック及び前記雄ホックの双方を生地に固定させるため、これらのホックから爪を生地に突き立て、生地の裏側で、穴あき金属板を介して、爪を倒伏させてもよい。
【００１７】
好ましくは、前記雌ホックの回転防止のため、前記中空ハウジングの生地側に回転防止手段を設ける（第４項）。回転防止手段は、例えば小突起である。この構成により、雌ホックの自由回転が阻止され、ホック具の動作が安定したものとなる。
【００１８】
好ましくは、前記バネの円弧部分は、前記長孔の縁部を起立させた爪部によって前記長孔に固着され、前記バネの２本の直線部分は、自由端となっている（第５項）。この構成により、バネの位置がしっかり固定され、ホック具の動作が安定したものとなる。
【実施例１】
【００１９】
以下、添付の図面に基づいて、本発明の実施例を説明する。
【００２０】
図１は、雌雄のホック具を部品毎に展開して示した斜視図である。図２は、各部品の位置関係を示す断面図である。図３は、雌ホック下部（係合側）であり、（ａ）は平面図、（ｂ）は断面図、（ｃ）は底面図である。図４は、雌ホック上部（生地側）であり、（ａ）は平面図、（ｂ）は断面図、（ｃ）は底面図である。図５は、雄ホック本体であり、（ａ）は平面図、（ｂ）は断面図である。図６は、雌ホック支持材又は雄ホック支持材であり、（ａ）は平面図、（ｂ）は断面図である。図７は、使用状態を示す断面図である。
【００２１】
図１及び２に示すように、このホック具は雌ホックＦと雄ホックＭからなり、それぞれ生地１，２に固着されている。
【００２２】
雌ホックＦは、図１〜４に示すように、円筒状下皿３と円筒状蓋４が相互にかしめられて形成される中空ハウジング５（図２）であり、生地１を介して裏側から支持材６を打ち込むことによって生地１に固着されている。
【００２３】
図１及び図４に最もよく示されるように、円筒状蓋４の表面（生地との接触面）には、支持材６を受容するための中心孔４１が１個と、不用意に回転しないようにするための、回転防止用の突起４２が複数個（図１では８個）設定されている。
【００２４】
円筒状下皿３の表面（係合表面）には、図３（ａ）（ｃ）に示すように、雄ホックＭを受容するため、長孔３１が形成されている。長孔３１の縁部のナイフエッジを避けるために縁部は内側に向けてカール加工しておくことが好ましい。後記するように、この長孔３１とバネ７により、直径に大小のあるだるま孔が形成されるが、この長孔３１単独でも、直径に大小のあるだるま孔としておくことが好ましい。
【００２５】
その長孔３１に沿って、円筒状下皿の中にバネ７が設定されている。バネ７は、円弧部分７１と、この円弧部分の両端から平行に延びる２本の直線部分７２からなり、円弧部分７１と直線部分７２の接点において内側に伸長するくびれ部７３が形成されている。このバネ７は、前記長孔３１から起立して形成された爪３２を倒伏させることにより円弧部分７１において固定されている。
【００２６】
長孔３１とバネ７の重なりにより、係合側から見ると、図３（ｃ）に示すように、直径に大小のあるだるま孔３１ａ，３１ｂが形成されている。このとき、長孔３１から、バネ７の前記くびれ部７３と、前記２本の直線部分７２だけが露出する。
【００２７】
雄ホックＭは従来のものと同様であり、図５に示すような、雄ホック本体８は、円柱状の突起８１と裾部８２を有する。雌ホック本体８は、図６に示すように支持材９を打ち込むことによって生地２の裏側から固定される。支持材９は、脚部９１と裾部９２からなる。図６の支持材９は、雌ホックＦを固定するのにも使用可能である（図１及び図２参照）。
【００２８】
この雌雄ホックＦ，Ｍを使用して衣服等の開閉部分を閉鎖するには、図７に示すように、だるま孔の大径孔３１ａに雄ホックＭの突起８１を挿入し、小径孔３１ｂへずらすだけでよい。開閉部分を開放するにはその逆の手順による。この移動に際して、必ずバネ７のくびれ部７３を経由するため、雄ホックＭの進入時及び後退時にはくびれ部７３が抵抗を与え、そこを越えると安定する。この操作において、大径孔３１ａには障害物がないため、雄ホックＭの挿入・離脱が容易である。
【００２９】
上記説明から明らかなように、雌ホックＦの取付方向は重要であり、不用意に自由回転してはならない。前記した回転防止用の突起４２はこの目的で設けられたものである。図示しないが、同じ目的で、雌ホックから爪を生地に突き立て、生地の裏側で、穴あき金属板を介して、爪を倒伏させてもよい。
【図面の簡単な説明】
【００３０】
【図１】雌雄のホック具を部品毎に展開して示した斜視図である。
【図２】各部品の位置関係を示す断面図である。
【図３】雌ホック下部（係合側）であり、（ａ）は平面図、（ｂ）は断面図、（ｃ）は底面図である。
【図４】雌ホック上部（生地側）であり、（ａ）は平面図、（ｂ）は断面図、（ｃ）は底面図である。
【図５】雄ホック本体であり、（ａ）は平面図、（ｂ）は断面図である。
【図６】雌ホック支持材又は雄ホック支持材であり、（ａ）は平面図、（ｂ）は断面図である。
【図７】使用状態を示す断面図である。
【符号の説明】
【００３１】
Ｆ     雌ホック
Ｍ     雄ホック
１，２ 生地
３     円筒状下皿
３１   長孔
３１ａ  大径孔
３１ｂ  小径孔
３２   爪
４     円筒状蓋
４１   中心孔
４２   突起
５     中空ハウジング
６     支持材
７     バネ
７１   円弧部分
７２   直線部分
７３   くびれ部
９     支持材
【図１】
0004897628.tif 000002
【図２】
0004897628.tif 000003
【図３】
0004897628.tif 000004
【図４】
0004897628.tif 000005
【図５】
0004897628.tif 000006
【図６】
0004897628.tif 000007
【図７】
0004897628.tif 000008